(57)【要約】【課題】利便性を向上できる照明装置を提供する。【解決手段】設置面Ｆに設置される支持部３０と、支持部３０にそれぞれ軸支される第１連結部１１及び第２連結部２１と、発光面１０ａを有するとともに支持部３０に対する第１連結部１１の回動方向と異なる方向に回動自在に第１連結部１１に軸支される第１面発光パネル１０と、発光面２０ａを有するとともに支持部３０に対する第２連結部２１の回動方向と異なる方向に回動自在に第２連結部２１に軸支される第２面発光パネル２０とを備えた。【選択図】図２
2012156016.tif 000002
【特許請求の範囲】
【請求項１】
設置面に設置される支持部と、前記支持部にそれぞれ軸支される第１連結部及び第２連結部と、発光面を有するとともに前記支持部に対する第１連結部の回動方向と異なる方向に回動自在に第１連結部に軸支される第１面発光パネルと、発光面を有するとともに前記支持部に対する第２連結部の回動方向と異なる方向に回動自在に第２連結部に軸支される第２面発光パネルとを備えたことを特徴とする照明装置。
【請求項２】
第１連結部及び第２連結部はそれぞれ二軸ヒンジから成り、前記支持部に枢支される枢支軸と、前記枢支軸に直交して第１面発光パネルまたは第２面発光パネルを軸支する回動軸とを有することを特徴とする請求項１に記載の照明装置。
【請求項３】
第１面発光パネル及び第２面発光パネルの前記回動軸が周面に設けられるとともに周面に直交して対向する二面の一方に前記発光面を設け、第１面発光パネルの前記発光面と第２面発光パネルの前記発光面とが対向配置した際に近接することを特徴とする請求項２に記載の照明装置。
【請求項４】
第１面発光パネル及び第２面発光パネルの周面の前記発光面側に偏って光を出射する周面出射領域を設けたことを特徴とする請求項３に記載の照明装置。
【請求項５】
第１、第２面発光パネルの前記回動軸を直交配置した際に一方の周面が他方の前記発光面上を回動することを特徴とする請求項３または請求項４に記載の照明装置。
【請求項６】
前記支持部が前記設置面に対して回転自在に設けられることを特徴とする請求項１〜請求項５のいずれか１項に記載の照明装置。
【請求項７】
第１面発光パネル及び第２面発光パネルの一方または両方の前記発光面の背面に、光を反射する反射面を設けたことを特徴とする請求項１〜請求項６のいずれか１項に記載の照明装置。
【発明の詳細な説明】
【技術分野】
【０００１】
本発明は、面発光する発光面を有した面発光パネルを備えた照明装置に関する。
【背景技術】
【０００２】
従来の照明装置は特許文献１に開示されている。この照明装置は設置面に設置される支持部により支持された薄板状の面発光パネルを備えている。面発光パネルの一面には平面状の発光面が設けられる。支持部は直交する２つの回動軸を有する二軸ヒンジを介して面発光パネルを支持する。
【０００３】
これにより、面発光パネルが設置面に略平行な回動軸で設置面に対して傾倒するとともに、設置面に略垂直な回動軸で設置面上を回動する。従って、発光面をあらゆる方向に向けることができ、所望の向きに照明光を出射することができる。
【先行技術文献】
【特許文献】
【０００４】
【特許文献１】特開２０１０−１９８９０８号公報（第３頁〜第５頁、第１図）
【発明の概要】
【発明が解決しようとする課題】
【０００５】
しかしながら、上記従来の照明装置によると、面発光パネルの発光面を所望の方向に向けて照明光の向きが可変されるが、照明光の出射方向が一方向になる。このため、複数の方向に照明光を出射するような種々の照明状態のバリエーションが得られず、照明装置の利便性が悪い問題があった。
【０００６】
本発明は、利便性を向上することのできる照明装置を提供することを目的とする。
【課題を解決するための手段】
【０００７】
上記目的を達成するために本発明は、設置面に設置される支持部と、前記支持部にそれぞれ軸支される第１連結部及び第２連結部と、発光面を有するとともに前記支持部に対する第１連結部の回動方向と異なる方向に回動自在に第１連結部に軸支される第１面発光パネルと、発光面を有するとともに前記支持部に対する第２連結部の回動方向と異なる方向に回動自在に第２連結部に軸支される第２面発光パネルとを備えたことを特徴としている。
【０００８】
この構成によると、設置面に設置された支持部に対して第１連結部が回動するとともに第１連結部に対して第１面発光パネルが回動する。また、支持部に対して第２連結部が回動するとともに第２連結部に対して第２面発光パネルが回動する。これにより、第１面発光パネル及び第２面発光パネルの向きがそれぞれ設置面に対して二方向に可変される。
【０００９】
また本発明は、上記構成の照明装置において、第１連結部及び第２連結部はそれぞれ二軸ヒンジから成り、前記支持部に枢支される枢支軸と、前記枢支軸に直交して第１面発光パネルまたは第２面発光パネルを軸支する回動軸とを有することを特徴としている。
【００１０】
この構成によると、支持部に対して第１連結部が枢支軸で回動すると、第１面発光パネルが設置面に対して傾倒する。第１連結部に対して第１面発光パネルが枢支軸に直交する回動軸で回動すると、例えば、第１面発光パネルが設置面上で回転する。また、支持部に対して第２連結部が枢支軸で回動すると、第２面発光パネルが設置面に対して傾倒する。第２連結部に対して第２面発光パネルが枢支軸に直交する回動軸で回動すると、例えば、第２面発光パネルが設置面上で回転する。
【００１１】
また本発明は、上記構成の照明装置において、第１面発光パネル及び第２面発光パネルの前記回動軸が周面に設けられるとともに周面に直交して対向する二面の一方に各前記発光面を設け、第１面発光パネルの前記発光面と第２面発光パネルの前記発光面とが対向配置した際に近接することを特徴としている。
【００１２】
この構成によると、第１、第２面発光パネルを例えば、設置面に対して立設して各発光面が対向配置されると、両発光面が近接する。これにより、両発光面間からスリット状の照明光が出射される。
【００１３】
また本発明は、上記構成の照明装置において、第１面発光パネル及び第２面発光パネルの周面の前記発光面側に偏って光を出射する周面出射領域を形成したことを特徴としている。この構成によると、対向配置された第１、第２面発光パネルの両発光面間及び周面からスリット状の照明光が出射される。この時、第１、第２面発光パネルの両発光面が接して周面のみからスリット状の照明光を出射してもよい。
【００１４】
また本発明は、上記構成の照明装置において、第１、第２面発光パネルの前記回動軸を直交配置した際に一方の周面が他方の前記発光面上を回動することを特徴としている。この構成によると、例えば、第１面発光パネルを設置面に平行に配置すると、設置面に対して立設された第２面発光パネルの周面が第１面発光パネルの発光面上を回動する。
【００１５】
また本発明は、上記構成の照明装置において、前記支持部が前記設置面に対して回転自在に設けられることを特徴としている。この構成によると、支持部の回転によって第１面発光パネル及び第２面発光パネルが一体に設置面に対して回動する。
【００１６】
また本発明は、上記構成の照明装置において、第１面発光パネル及び第２面発光パネルの一方または両方の前記発光面の背面に、光を反射する反射面を設けたことを特徴としている。
【発明の効果】
【００１７】
本発明によると、第１、第２面発光パネルがそれぞれ２方向に回動するため、種々の照明状態のバリエーションを得ることができる。従って、照明装置の利便性を向上することができる。
【図面の簡単な説明】
【００１８】
【図１】本発明の実施形態の照明装置を示す正面図
【図２】本発明の実施形態の照明装置を示す上面断面図
【図３】本発明の実施形態の照明装置を示す側面図
【図４】本発明の実施形態の照明装置の第１、第２面発光パネルの向きを可変した上面図
【図５】本発明の実施形態の照明装置の第１、第２面発光パネルの向きを可変した上面図
【図６】本発明の実施形態の照明装置の第１、第２面発光パネルの向きを可変した上面図
【図７】本発明の実施形態の照明装置の第１、第２面発光パネルの向きを可変した側面図
【図８】本発明の実施形態の照明装置の第１、第２面発光パネルの向きを可変した側面図
【図９】本発明の実施形態の照明装置の第１、第２面発光パネルの向きを可変した側面図
【図１０】本発明の実施形態の照明装置の第１、第２面発光パネルの向きを可変した側面図
【発明を実施するための形態】
【００１９】
以下に本発明の実施形態を図面を参照して説明する。図１、図２、図３は一実施形態の照明装置を示す正面図、上面断面図及び側面図である。照明装置１は室内の側壁等の設置面Ｆに設置される支持部３０に第１面発光パネル１０及び第２面発光パネル２０が取り付けられる。
【００２０】
支持部３０は支持台３１、シャフト３２、取付板３３及びカバー３４を有している。支持台３１は設置面Ｆに接して取り付けられる。シャフト３２は支持台３１から設置面Ｆと反対方向に延びる円柱状に形成される。
【００２１】
取付板３３はシャフト３２の一端に設けられる軸部３２ａを介して回転自在に設けられる。これにより、第１、第２面発光パネル１０、２０を一体に回転させることができる。また、取付板３３はシャフト３２の軸方向に直交する方向に延び、長手方向の中央部の対向面に凹部３３ａ、３３ｂが形成された平面視Ｈ型に形成される。
【００２２】
カバー３４は平面視矩形のシート状に形成され、取付板３３を覆って凹部３３ａ、３３ｂ及び後述する第１、第２連結部１１、２１を隠蔽する。これにより、ヒンジである第１、第２連結部１１、２１が使用者から見えないようにできるので、外観を損なうことなく照明装置１を取り付けることができる。
【００２３】
凹部３３ａ、３３ｂにはそれぞれ二軸ヒンジから成る第１、第２連結部１１、２１が配される。第１連結部１１は取付板３３に軸支される軸部１１ａと、第１面発光パネル１０を軸支する軸部１１ｂとを有している。取付板３３には軸部１１ａに嵌合する軸孔が設けられ、第１面発光パネル１０には軸部１１ｂに嵌合する軸孔が設けられる。
【００２４】
同様に、第２連結部２１は取付板３３に枢支される軸部２１ａと、第２面発光パネル２０を軸支する軸部２１ｂとを有している。取付板３３には軸部２１ａに嵌合する軸孔が設けられ、第２面発光パネル２０には軸部２１ｂに嵌合する軸孔が設けられる。各軸部を第１、第２発光パネル１０、２０に設け、軸孔を第１、第２連結部１１、２１に設けてもよい。
【００２５】
軸部１１ａ、２１ａにより第１、第２連結部１１、２１を設置面Ｆに対して傾倒自在に枢支する枢支軸が形成される。また、軸部１１ｂ、２１ｂにより第１、第２面発光パネル１０、２０を回動自在に支持する回動軸が枢支軸に対して直交して形成される。尚、第１、第２連結部１１、２１は第１、第２面発光パネル１０、２０の周面から軸部１１ｂ、２１ｂの軸方向に延び、カバー３４に向かって屈曲した断面Ｌ字型に形成される。
【００２６】
第１、第２面発光パネル１０、２０は平面視矩形の薄板状に形成され、厚みを形成する周面が第１、第２連結部１１、２１の軸部１１ｂ、２１ｂによりそれぞれ軸支される。第１、第２面発光パネル１０、２０の周面（厚み方向）に直交して対向する対向面の一方には面発光する平面状の発光面１０ａ、２０ａが形成される。
【００２７】
また、第１、第２面発光パネル１０、２０の周面１０ｃ、２０ｃには発光面１０ａ、２０ａ側に偏って光を出射する周面出射領域１０ｂ、２０ｂ（１０ｂは図４参照）が形成される。これにより、第１、第２面発光パネル１０、２０は発光面１０ａ、２０ａ及び周面出射領域１０ｂ、２０ｂから照明光を出射する。
【００２８】
図１〜図３に示すように、第１、第２面発光パネル１０、２０の発光面１０ａ、２０ａを設置面Ｆと反対方向に向けて同一面内に配置すると、発光面１０ａ、２０ａから照明光が矢印Ａ１、Ｂ１に示すように設置面Ｆの反対方向に略垂直に出射される。これにより、照明範囲を広くして直接照明を行うことができる。
【００２９】
図４に示すように、前述の図１〜図３の状態から第１、第２面発光パネル１０、２０を発光面１０ａ、２０ａが近づく方向に軸部１１ａ、２１ａの回りに回動すると、発光面１０ａ、２０ａから照明光が矢印Ａ２、Ｂ２に示すように出射される。これにより、照明範囲が狭くなるが、発光面１０ａ、２０ａからの光を照明装置１の中央であるカバー３４の正面の照明領域に集光することができるため、より明るい直接照明を行うことができる。
【００３０】
図５に示すように、前述の図１〜図３の状態から第２面発光パネル２０を軸部２１ａの回りに回動して設置面Ｆに対して立設すると軸部１１ｂ、２１ｂが直交し、第２面発光パネル２０を軸部２１ｂの回りに回動させることができる。この時、第１、第２面発光パネル１０、２０が近設されるため、第２面発光パネル２０の周面２０ｃが第１面発光パネル１０の発光面１０ａ上を回動する。第１面発光パネル１０を軸部１１ｂの回りに回動させる場合も同様である。
【００３１】
そして、第２面発光パネル２０を設置面Ｆに対して立設した状態から軸部２１ｂの回りに１８０°回動させる。更に、第２面発光パネル２０を軸部２１ａの回りに回動して設置面Ｆ側に傾倒し、発光面２０ａが設置面Ｆに対向するように配置する。また、第１面発光パネル１０についても同様の回動操作を行う。
【００３２】
これにより、第１、第２面発光パネル１０、２０の発光面１０ａ、２０ａを図６に実線で示すように設置面Ｆの方向に向けて同一面内に配置することができる。従って、発光面１０ａ、２０ａから照明光が矢印Ａ４、Ｂ４に示すように設置面Ｆに向かって略垂直に出射され、間接照明を行うことができる。
【００３３】
また、同図の一点鎖線に示すように、第１、第２面発光パネル１０、２０を発光面１０ａ、２０ａと反対の面が近づく方向に軸部１１ａ、２１ａの回りに回動すると、発光面１０ａ、２０ａから照明光が矢印Ａ５、Ｂ５に示すように出射される。これにより、設置面Ｆに向かって傾斜して照明光が出射され、設置面Ｆで反射する光が広がって間接照明の照明範囲を広くすることができる。
【００３４】
尚、前述の図５に示す状態で第１面発光パネル１０の発光面１０ａから矢印Ａ３に示すように設置面Ｆに垂直方向に照明光が出射される。また、第２面発光パネル２０の発光面２０ａから設置面Ｆに平行で発光面１０ａの出射光とは捩れ方向に照明光を出射することができる。従って、異なる２方向に向かって直接照明を行うことができる。
【００３５】
図７は前述の図１〜図３に示す状態から軸部３２ａ（図２参照）の回りに取付板３３を９０゜回転し、第２面発光パネル２０を軸部２１ａの回りに９０゜回転した状態を実線で示している。これにより、第１面発光パネル１０が設置面Ｆに平行に配され、第２面発光パネル２０が立設される。
【００３６】
この時、第２連結部２１が断面Ｌ字型に形成されるため、第２面発光パネル２０の軸部２１ｂが取り付けられる周面２０ｃがカバー３４との干渉を防止して回動できる空間を形成することができる。従って、第２面発光パネル２０を設置面Ｆに平行な状態から設置面Ｆに垂直な状態に配置することができる。尚、第１面発光パネル１０を設置面Ｆに垂直に配置する場合も同様に、第１連結部１１が断面Ｌ字型に形成されるためカバー３４との干渉を防止することができる。
【００３７】
第１面発光パネル１０の発光面１０ａからは照明光が矢印Ａ６に示すように設置面Ｆの反対方向に略垂直に出射される。第２面発光パネル２０の発光面２０ａからは照明光が矢印Ｂ６に示すように設置面Ｆと平行で発光面１０ａの出射光に対して垂直に上方に向かって出射される。これにより、発光面１０ａの照明光により直接照明を行い、壁面である設置面Ｆの上方に位置して設置面Ｆと直交する天井面に発光面２０ａの照明光を照射することにより間接照明を行うことができる。
【００３８】
また、一点鎖線で示すように、第１、第２面発光パネル１０、２０を軸部１１ａ、２１ａの回りに下方に回動すると、発光面１０ａ、２０ａから照明光が矢印Ａ７、Ｂ７に示すように出射される。これにより、狭い照明範囲で直接照明を行うことができる。
【００３９】
図８は前述の図７に示す状態から第１面発光パネル１０の発光面１０ａを設置面Ｆに向けて配置した状態を実線で示している。第１面発光パネル１０の発光面１０ａからは照明光が矢印Ａ８に示すように設置面Ｆに向かって出射される。第２面発光パネル２０の発光面２０ａからは照明光が矢印Ｂ６に示すように設置面Ｆと平行で発光面１０ａの出射光に垂直に出射され、設置面Ｆの上方に位置する天井面に照射される。これにより、発光面１０ａ、２０ａから異なる向きに出射される照明光による間接照明を行うことができる。
【００４０】
また、同図の一点鎖線で示すように、第１面発光パネル１０を第２面発光パネル２０に向かって軸部１１ａの回りに回動すると、発光面１０ａから照明光が矢印Ａ９に示すように斜め上方に出射される。
【００４１】
更に、第１、第２面発光パネル１０、２０は発光面１０ａ、２０ａに対向した背面に光を反射する反射面１０ｄ、２０ｄを有する。このため、発光面１０ａの出射光が設置面Ｆで反射するとともに、発光面２０ａの出射光が第１面発光パネル１０の背面の反射面１０ｄで反射する。従って、設置面Ｆ及び反射面１０ｄの反射光によって、間接照明による照明範囲を広くすることができる。尚、反射面１０ｄ、２０ｄは、第１、第２面発光パネル１０、２０の両方の背面に夫々設けてもよいし、一方のみに設けてもよい。
【００４２】
図９は前述の図７に示す状態から第１面発光パネル１０を軸部１１ａの回りに回動し、発光面１０ａ、２０ａを対向配置した状態を示している。この時、軸部１１ａ、２１ａが近設され、発光面１０ａ、２０ａが接するようになっている。
【００４３】
発光面１０ａ、２０ａの出射光はそれぞれ第２面発光パネル２０及び第１面発光パネル１０によって遮られる。しかし、第１面発光パネル１０、２０の周面１０ｃ、２０ｃの周面出射領域１０ｂ、２０ｂから矢印Ａ１０に示すように照明光が出射される。これにより、照明光がスリット状の照明状態が得られる。
【００４４】
尚、対向配置して近接する発光面１０ａ、２０ａが所定間隔離れるようにしてもよい。この時、発光面１０ａ、２０ａ間及び周面出射領域１０ｂ、２０ｂからスリット状の照明光を出射することができる。
【００４５】
図１０は前述の図９に示す状態から第１、第２面発光パネル１０、２０の発光面１０ａ、２０ａを相反する向きに配置した状態を示している。第１面発光パネル１０の発光面１０ａからは矢印Ａ１１に示すように上方に照明光が出射される。第２面発光パネル２０の発光面２０ａからは矢印るＢ１１に示すように下方に照明光が出射される。これにより、発光面１０ａの照明光により設置面Ｆの上方に位置する天井面に照射することで間接照明を行い、発光面２０ａの照明光により直接照明を行うことができる。
【００４６】
本実施形態によると、第１、第２面発光パネル１０、２０がそれぞれ２方向に回動するため、種々の照明状態のバリエーションを得ることができる。従って、照明装置１の利便性を向上することができる。
【００４７】
また、第１連結部１１及び第２連結部２１が二軸ヒンジから成り、支持部３０に枢支される枢支軸（軸部１１ａ、２１ａ）と、枢支軸に直交して第１面発光パネル１０または第２面発光パネル２０を軸支する回動軸（軸部１１ｂ、２１ｂ）とを有する。これにより、第１、第２面発光パネル１０、２０を容易に２方向に回動させることができる。
【００４８】
また、第１、第２面発光パネル１０、２０の回動軸となる軸部１１ｂ、２１ｂが周面１０ｃ、２０ｃに設けられ、周面１０ｃ、２０ｃに直交して対向する二面の一方に発光面１０ａ、２０ａが形成される。そして、発光面１０ａ、２０ａが対向配置した際に近接するので、スリット状の照明光を出射することができ、より多くの照明状態のバリエーションを得ることができる。
【００４９】
また、第１、第２面発光パネル１０、２０の周面１０ｃ、２０ｃの発光面１０ａ、２０ａ側に偏って光を出射する周面出射領域１０ｂ、２０ｂを設けたので、発光面１０ａ、２０ａが対向配置した際に互いに接してもスリット状の照明光を出射することができる。
【００５０】
また、第１、第２面発光パネル１０、２０の回動軸を形成する軸部１１ｂ、２１ｂを直交配置した際に一方の周面（例えば、周面２０ｃ）が他方の発光面（例えば、発光面１０ａ）上を回動するので、近設される第１、第２面発光パネル１０、２０の向きを容易に変えることができる。
【００５１】
また、支持部３０の取付板３３が設置面Ｆに対してシャフト３２の軸部３２ａを中心に回転自在に設けられるので、第１、第２面発光パネル１０、２０を一体に設置面Ｆに対して回動することができる。従って、より多くの照明状態のバリエーションを得ることができる。
【００５２】
また、第１面発光パネル１０及び第２面発光パネル２０の一方または両方の発光面１０ａ、２０ａの背面に、光を反射する反射面１０ｄ、２０ｄを設けたので、一方の照明光を他方の反射面で反射して間接照明を行うことができる。従って、より多くの照明状態のバリエーションを得ることができる。
【００５３】
尚、使用者の所望の照明状態に応じて発光面１０ａ、２０ａの一方のみを点灯させるようにしてもよいし、両方を同時に点灯させてもよい。例えば、発光面１０ａ、２０ａの一方を点灯して他方を消灯し、一方の照明光を他方の反射面１０ｄまたは反射面２０ｄで反射させて間接照明として利用してもよい。
【００５４】
本実施形態において、室内の側壁から成る設置面Ｆに照明装置１の支持部３０を設置して取り付けているが、天井面に設置して取り付けてもよく、床面に載置して設置してもよい。また、第１、第２面発光パネル１０、２０を平面視矩形以外の円形や多角形に形成してもよく、薄板状に限らずキューブ状に形成してもよい。また、第１、第２面発光パネル１０、２０が平面状の発光面１０ａ、２０ａを備える例について説明したが、発光面１０ａ、２０ａは平面状に限らず曲面であってもよい。
【産業上の利用可能性】
【００５５】
本発明によると、面発光する発光面を有した面発光パネルを備えた照明装置に利用することができる。
【符号の説明】
【００５６】
１    照明装置
１０    第１面発光パネル
１０ａ、２０ａ  発光面
１０ｂ、２０ｂ  周面出射領域
１０ｃ、２０ｃ  周面
１１    第１連結部
１１ａ、１２ａ  軸部（枢支軸）
１１ｂ、１２ｂ  軸部（回動軸）
２０    第２面発光パネル
２１    第２連結部
３０    支持部
３１    支持台
３２    シャフト
３２ａ  軸部
３３    取付板
３４    カバー
【図１】
2012156016.tif 000003
【図２】
2012156016.tif 000004
【図３】
2012156016.tif 000005
【図４】
2012156016.tif 000006
【図５】
2012156016.tif 000007
【図６】
2012156016.tif 000008
【図７】
2012156016.tif 000009
【図８】
2012156016.tif 000010
【図９】
2012156016.tif 000011
【図１０】
2012156016.tif 000012